(57)【要約】【課題】  真空吸着を利用して、地面又は壁面と標示板をはじめとする仮設物とを吸着固定し、より安全に使用することが出来る装置としてバキュームアンカの提供を課題とする。【解決手段】  真空を発生させる真空ポンプ１と、その接続先にコンクリートをはじめとする地面又は壁面５と接するパッドゴム１１を備えたバキュームパッド３を有し、パッドゴム１１と地面又は壁面５との間を真空にすることで吸着固定をし、使用後は真空ポンプ１の電源を切り真空離脱弁９を開くことで外気を引き込み離脱させる仮設物固定装置【選択図】          図１
2005233258.tif 000002
【特許請求の範囲】
【請求項１】
真空を利用して地面や壁面を吸着し、永久固定しない標示板をはじめとする仮設物を固定する固定装置であって、少なくとも真空を発生させる真空ポンプと、該真空ポンプとバキュームパッドとをつなぐ真空機器接続ホースと、プレート状のバキュームパッド本体を有し、バキュームパッドにはその下面の外側全周に軟質ゴムで出来たパッドゴムが取り付けられ、さらにプレートには穴をあけ、それに上面より真空機器接続ホースと連結させる真空機器接続金具と、外気を引き込みバキュームパッドと地面とを離脱させるための真空離脱弁と真空度を確認するための真空計と、仮設物にあらかじめ取り付けられた薄板をバキュームパッドに固定するための固定ノブを取付け、真空ポンプの電源を入れることによってバキュームパッド下面と地面や壁面の隙間を真空状態にし、仮設物を固定することを特徴とする固定装置
【請求項２】
バキュームパッド下面のパッドゴムの内側に、余分なゴミを吸い込むことを防ぐための細かい網目状のフィルターネットや、吸着時にパッドゴムが必要以上に収縮するのを防ぐストッパーを備えた請求項１に記載の仮設物固定装置
【発明の詳細な説明】
【技術分野】
【０００１】
本発明は、真空吸着を利用した仮設物固定装置に関するものである。
【背景技術】
【０００２】
従来の地上に置く場合の標示板等の固定具は土嚢等の重りを乗せて動かないようにする程度のものであった。或いは基礎ボルトで頑丈に止めたり、柱等の動かないものに括り付けたりしていた。また、壁面に取り付ける場合は、穴を開けてボルトで固定しなければならなかった。そのため、簡易な方法を用いた場合には、風雨によって移動することがあった。
【発明の開示】
【発明が解決しようとする課題】
【０００３】
本発明は、地上に置いた仮設物や壁面に固定する仮設物を上記のように移動することを防止し、しかも簡単な操作で設置・離脱を行うものである。
【課題を解決するための手段】
【０００４】
上記課題を解決する本発明のバキュームアンカは、真空を利用して地面や壁面を吸着し、永久固定をしない仮設物を固定する固定装置であって、異物混入を防止するためのエアフィルターを取り付けた真空を発生させる真空ポンプと、バキュームパッドとをつなぐ真空機器接続ホースと、約５００ｍｍ×２５０ｍｍのプレート状のパキュームパッド本体を備えたことを第１の特徴としている。バキュームパッドには、その下面の外側全周に軟質のゴムで出来たパッドゴムが取り付けられ、プレートに穴をあけ、その上面には真空機器接続ホースと連結させる真空機器接続金具と、外気を引き込みバキュームパッドと地面とを離脱させるための真空離脱弁と、真空度を確認するための真空計と、仮設物にあらかじめ取り付けられた薄板をパキュームパッドに固定するための固定ノブを備えている。
また、本発明のバキュームアンカは上記第１の特徴に加えて、パッドゴムの内側に余分なゴミを吸い込むことを防ぐための細かい網目状でステンレス製のフィルターネットと、パッドゴムが必要以上に収縮することを防ぐストッパーを備えていることを第２の特徴としている。
【発明の効果】
【０００５】
本発明は、以上の構成、作用によりなり、請求項１に記載のバキュームアンカによれば、真空吸着を利用して地面又は壁面と標示板をはじめとする仮設物を固定する固定装置であって、少なくとも真空を発生させる真空ポンプと、該真空ポンプとバキュームパッドとをつなぐ真空機器接続ホースと、プレート状のバキュームパッド本体を有し、バキュームパッドにはその下面の外側全周に軟質のゴムで出来たパッドゴムが取り付けられ、上面には真空機器接続ホースと連結させる真空機器接続金具と、外気を引き込みバキュームパッドと地面又は壁面とを離脱させるための真空離脱弁と、真空度を確認するための真空計と、仮設物にあらかじめ取り付けられた薄板をパキュームパッドに固定するための固定ノブを備えたので、真空ポンプのスイッチ操作と真空離脱弁の開閉を行うだけで据付・取り外しが簡単にでき、従来のように大掛かりな基礎ボルトや土嚢等の重りも不必要になる。
また、請求項２に記載のバキュームアンカによれば、上記請求項１に記載の構成による効果に加えて、バキュームパッド下面のパッドゴム内側に余分なゴミを吸い込むことを防ぐための細かい網目状でステンレス製のフィルターネットや、吸着時にパッドゴムが必要以上に収縮することを防ぐストッパーを備えているので、異物混入による装置の故障や軟質ゴムで出来たパッドゴムの消耗を軽減している。
また、標示板以外にも、梯子、仮設足場、仮設ハウスの基礎、イベントテントの基礎、仮設信号機等に利用出来る。
【発明を実施するための最良の形態】
【０００６】
以下の図面を参照しながら本発明の実施形態を更に説明する。
先ず図１、図２を参照して説明すると、標示板等の仮設物４を約５００ｍｍ×２５０ｍｍのアルミ製のプレートで出来ているバキュームパッド３の上に置き、仮設物下部にあらかじめ付けられた２箇所穴のある薄板をパキュームパッド３の穴に合わせる。直径５ｃｍほどの仮設物パッド固定ノブ２個で２箇所の穴を固定する。エアフィルター２を取り付けた真空ポンプ１とバキュームパッド３を真空機器接続ホース１４で接続し、真空ポンプ１の電源を入れる。
【０００７】
図３、図４を参照して説明すると、真空ポンプ１から真空機器接続金具８を経てバキュームパッド３の下面全周に取り付けられている軟質のゴムで出来たパッドゴム１１と地面又は壁面５との間の空間を真空状態にする。吸着力は約４５００Ｎとする。パッドゴム１１が収縮することで、地面又は壁面５の凸凹を吸収出来るようになっている。その際、必要以上にパッドゴム１１が収縮しない様ストッパー１３を備えている。空間のゴミがチューブに入らない様、バキュームパッド３下面に細かい網目状でステンレス製のフィルターネット１２も備えている。圧力はバキュームパッド上面の真空計７で確認できる。取り外し時は、真空ポンプの電源を切り、バキュームパッド上面に取り付けられている真空離脱弁９を開くことで外気を引き込み、離脱させる。持ち運びを容易にするため、取手１０を使用する。
【図面の簡単な説明】
【０００８】
【図１】本発明の実施形態に係るバキュームアンカの概略を示す正面図である。
【図２】仮設物及びバキュームパッドの概略を示す右側面図である。
【図３】バキュームパッド部分の平面図である。
【図４】バキュームパッド部分の正面図である。
【符号の説明】
【０００９】
１      真空ポンプ
２      エアフィルター
３      バキュームパッド
４      仮設物
５      地面又は壁面
６      仮設物・パッド固定ノブ
７      真空計
８      真空機器接続金具
９      真空離脱弁
１０    取手
１１    パッドゴム
１２    フィルターネット
１３    ストッパー
１４    真空機器接続ホース
【図１】
2005233258.tif 000003
【図２】
2005233258.tif 000004
【図３】
2005233258.tif 000005
【図４】
2005233258.tif 000006